(57)【要約】      （修正有）【課題】給紙トレイの載置面及び給紙口を蓋体で覆った状態で、給紙トレイ上にシートを載置し、載置されたシートを給紙することを可能とするシート給紙装置を提供する。【解決手段】シートを給紙するための給紙トレイ１０及び給紙口３０を覆う閉位置と原稿を載置する開位置に回動可能な蓋体２０を備え、蓋体２０が給紙口３０を覆った状態でシートを給紙口３０に案内する開口２２を形成した。これによって、蓋体２０が給紙口２２を覆った状態でもシートを給紙することが可能となり、原稿のセット操作が簡便化できる。【選択図】図２
2011073843.tif 000002
【特許請求の範囲】
【請求項１】
シートを載置するための給紙トレイと、前記給紙トレイ上のシートを給紙口より給紙する給紙手段と、前記給紙トレイを覆う閉位置と前記給紙トレイに載置されたシートの一部を支持する支持面を形成する開位置とに移動する蓋体と、を備えたシート給紙装置において、
前記蓋体が前記給紙トレイを覆う閉位置にあるときにシートを前記給紙トレイ上に載置するための開口を前記蓋体に形成したことを特徴とするシート給紙装置。
【請求項２】
前記蓋体のシート支持面に設けられ、前記蓋体が前記給紙トレイを覆う閉位置にあるときに下方に垂下して前記開口から前記給紙口に至る前記給紙トレイと前記蓋体との空間を遮蔽する遮蔽部材を設けたことを特徴とする請求項１に記載のシート給紙装置。
【請求項３】
前記給紙トレイ上に設けられ、該給紙トレイ上のシートの給紙方向と直交するシート幅方向両端部を規制する一対のサイド規制部材と、シート幅方向に延設され、前記開口から前記給紙口に至る前記給紙トレイと前記蓋体との空間を遮蔽する板状の遮蔽部材と、前記遮蔽部材を給紙方向下流側に向かって回動自在に支持する支持部材と、を設け、
前記一対のサイド規制部材のそれぞれに前記遮蔽部材の回動するための切欠部を形成したことを特徴とする請求項１に記載のシート給紙装置。
【請求項４】
前記給紙トレイ上に載置されたシートの給紙方向と直交する両端部をそれぞれ規制する一対のサイド規制部材を設け、この一対のサイド規制部材の少なくとも一方のサイド規制部材の一部を前記開口から露出するように前記給紙トレイ上に配置したことを特徴とする請求項１に記載のシート給紙装置。
【発明の詳細な説明】
【技術分野】
【０００１】
本発明は、シートを所定の処理位置に給紙する給紙装置に関し、詳しくは給紙されるシートを載置する給紙トレイの構成に関する。
【背景技術】
【０００２】
従来、シートを所定の処理位置に給紙する給紙装置においては、シートを載置する給紙トレイと、その給紙トレイ上のシートに接触してシートを繰り出す繰出ローラと、繰り出されたシートを１枚に分離して処理位置に送る分離手段とを備えている。
【０００３】
上述のような給紙装置では、開いたときに給紙トレイと協働してシートを載置するトレイとして機能し、閉じたときに給紙トレイのシート載置面及びシート給紙口を覆う開閉自在な蓋体が知られている（例えば、特許文献１）。そして、このような蓋体を設けることによって装置内にゴミや塵が進入することを防ぐことができ、またローラなどの駆動音などの騒音を外部に漏れることを防止することができる。
【先行技術文献】
【特許文献】
【０００４】
【特許文献１】特開平４−３４９７６５号公報
【発明の概要】
【発明が解決しようとする課題】
【０００５】
しかしながら、上述した装置では、シートを給紙トレイ上に載置してシートを給紙口より給紙する毎に給紙トレイの一部を開状態にする必要があり、その取り扱いが煩わしいとの問題があった。
【０００６】
本発明は、上述の問題点に鑑みてなされたものであって、給紙トレイの一部で給紙口を覆った状態でシートの給紙を可能とし、給紙トレイ上にシートを載置することを簡便としたシート給紙装置を提供することを目的とする。
【課題を解決するための手段】
【０００７】
本発明は、上記目的を達成するために、シートを載置するための給紙トレイと、給紙トレイ上のシートを給紙口より給紙する給紙手段と、給紙トレイを覆う閉位置と給紙トレイに載置されたシートの一部を支持する支持面を形成する開位置とに移動する蓋体と、を備え、蓋体が前記給紙トレイを覆う閉位置にあるときにシートを給紙トレイ上に載置するための開口を給紙トレイと前記蓋体との間に設けたものである。
【発明の効果】
【０００８】
蓋体と給紙トレイとの間に開口を形成したので、蓋体が給紙トレイの上面及び給紙口を覆った状態であってもシート原稿を給紙トレイ上に載置して給紙することができるので、シートを給紙する毎に蓋体を開閉する必要がなく、取り扱いが簡便化となる。
【図面の簡単な説明】
【０００９】
【図１】本発明が適用される自動シート原稿送り装置及び画像読取装置を示す断面図である。
【図２】図２（ａ）は本発明に係る蓋体の閉状態を示す断面図であり、図２（ｂ）は本発明に係る蓋体の開状態を示す断面図である。
【図３】本発明に係る蓋体の閉状態を示す上面図である。
【図４】本発明に係る蓋体の開閉動作状態を示す断面図である。
【図５】図５（ａ）は本発明に係る蓋体が閉位置にあるときの遮蔽部材の状態を示す拡大断面図であり、図５（ｂ）は本発明に係る蓋体が閉位置にあるときの遮蔽部材の状態を示す拡大断面図である。
【発明を実施するための形態】
【００１０】
以下、本発明のシート給紙装置を画像読取装置等に備えられた自動シート原稿送り装置の給紙部に適用した実施例に基づいて説明する。図１は、自動シート原稿送り装置Ａ及び画像読取装置Ｈを示す断面図であり、以下に図１に基づき自動シート原稿送り装置Ａ及び画像読取装置Ｈについて説明する。
【００１１】
自動シート原稿送り装置Ａは、画像読取装置Ｈの上面に設けられたプラテンガラス４にシート原稿を給紙するための給紙部と、プラテンガラス４に沿ってシート原稿を搬送するための搬送部と、プラテンガラス４を通過したシート原稿を排紙するための排紙部と、を備えている。
【００１２】
画像読取装置Ｈは、プラテンガラス４を介してランプ等の光源５からの光をプラテンガラス上に静止したシート原稿に照射し、その反射光を複数のミラー６ａ、６ｂ、６ｃで反射させてレンズ７を介してＣＣＤ８で読み取る光学系の読取ユニットを備えている。また、この読取ユニットは、副走査方向に移動させることによってプラテンガラス３上に静止したシート原稿の画像を読み取る。
【００１３】
自動シート原稿送り装置Ａの給紙部には、シート原稿を載置する給紙トレイ１０と、給紙トレイ１０に載せられたシート原稿の最上面に接触して繰り出す繰り出しローラ１１と、繰り出されたシート原稿を給紙する給紙ローラ１２とこの給紙ローラ１２に圧接して給紙ローラ１２にて給紙されるシート原稿の２枚目以降を阻止する分離部材１３とからなる分離手段、給紙ローラ１２と分離部材１３によって１枚に分離されて給紙されるシート原稿の先端を整合してスキューを補正するレジストローラ対１４とが設けられている。そして、繰り出しローラ１１の近傍には給紙トレイ１０上にシート原稿が載置されたことを検出するエンプティセンサＳ１が配置され、レジストローラ対１４の前後にはシート原稿の先端を検出するレジストセンサＳ２とシート原稿の給紙を制御するタイミングセンサＳ３が配置されている。
【００１４】
搬送部には、シート原稿をプラテンガラス４に搬送する搬入ローラ対１５と、プラテンガラス４からシート原稿を搬出する搬出ローラ対１６が設けられている。排紙３には、読み取られたシート原稿を収納する排紙トレイ１８と、この排紙トレイ１８にシート原稿を排紙する排紙ローラ対１７と、排紙トレイ１８に排紙するシート原稿を検出する排紙センサＳ４が設けられている。
【００１５】
そして、給紙部、排紙部に配置されたセンサＳ１〜Ｓ４は、シート原稿の搬送を制御するための制御基板に実装された１チップマイコン等を含む制御手段としての制御部に接続されており、各センサからの出力信号に基づいて上述した各ローラを駆動する図示しないモータやアクチュエータを制御し、シート原稿の送り動作が実行される。
【００１６】
次に、上述の構成からなる自動シート原稿送り装置Ａのシート原稿送り動作について説明する。先ず、エンプティセンサＳ１がシート原稿を検出すると、繰り出しローラ１１と給紙ローラ１２が駆動し、給紙トレイ１２からシート原稿が繰り出され、１枚に分離されて給紙される。そして、給紙されたシート原稿の先端がレジストセンサＳ２によって検出された時点からシート原稿を所定時間の間送ることで、シート原稿の先端がレジストローラ対１４のニップ部に突き当たって整合され、シート原稿のスキューが補正される。そして、スキュー補正されたシート原稿は、レジストローラ対１４を駆動することによって、プラテンガラス４上に向けて送られる。その後にシート原稿は搬入ローラ対１５によってプラテンガラス４上に送られ、プラテンガラス４の読取位置にて前述した読取手段で読み取られる。そして、プラテンガラス４上を通過したシート原稿は搬出ローラ対１６、排紙ローラ対１７によって排紙トレイ１８に排紙される。
【００１７】
ここで、給紙トレイ１０の上流側の端部には給紙トレイ１０の上面を覆う蓋体２０が設けられている。この蓋体２０について詳細に説明する。図２（ａ）は蓋体の閉状態を示す断面図、図２（ｂ）は蓋体の開状態を示す断面図、図３は蓋体の閉状態における上面図、図４は蓋体の開閉動作を示す断面図である。
【００１８】
蓋体２０は、その一端側におけるシート原稿幅方向の両端部のそれぞれに回動ピン２１が設けられており、この回動ピン２１は給紙トレイ１０の上流側の端部の係合孔（図示せず）に係合している。これによって、蓋体２０は回動ピン２１を支点に給紙トレイ１０に対して回動自在に取り付けられ、図２（ａ）に示すように給紙トレイ１０及びシート原稿給紙口３０を覆う閉位置と図２（ｂ）に示すように蓋体２０の内面２０ａが給紙トレイ１０のシート原稿載置面１０ａを延長した位置となる開位置とに回動する。
【００１９】
閉状態において、蓋体２０は回動ピン２１が設けられた側と異なる先端側が給紙部の給紙カバー１９に当接し、給紙トレイ１０の上面及びシート原稿給紙口３０を覆った状態で保持される。閉状態においては、蓋体２０は回動ピン２１が設けられた側の閉状態における底部が給紙トレイ１０に形成された蓋体支持面１０ｂに当接して開位置に保持されるように構成されている。
【００２０】
また、蓋体２０の回動ピン２１側には切欠が形成され、この切欠は図３に示すように給紙トレイ１０の上流側端部との間でシート原稿Ｐを給紙トレイ１０上に載置するための開口２２を形成している。この開口２２から給紙トレイ１０の載置面１０ａに載置可能なサイズのシート原稿Ｐを挿入して給紙トレイ１０上に載置することによって、蓋体２０が給紙トレイ１０の上面１０ａ及び給紙口３０を覆った状態であってもシート原稿を給紙することができる。なお、給紙トレイ１０の載置面１０ａに載置不可能なサイズのシート原稿については、蓋体２０を開位置に回動して給紙トレイ１０の載置面１０ａと蓋体２０の内面２０ａとで協働してシート原稿を支持するように構成している。
【００２１】
給紙トレイ１０上には載置されるシート原稿の幅方向を規制する一対のサイド規制部材２３が設けられている。この一対のサイド規制部材２３はラックとピニオンによって互いに連動してシート原稿幅方向に移動するように構成されている。また、一対のサイド規制部材２３のそれぞれの下流側端部は、図３に示すように蓋体２０を閉状態にしたときに形成される開口２２から外部に露出する位置まで延設されている。これによって、蓋体２０が給紙トレイ１０の上面１０ａ及び給紙口３０を覆った状態であってもサイド規制部材２３を移動操作することが可能となり、開口から挿入されて給紙トレイ１０上に載置されたシート原稿のシート原稿幅方向の両端部を容易に規制することができる。なお、符号２４は後述する遮蔽部材２５を垂下させるための切欠部であって、一対のサイド規制部材２３のそれぞれの遮蔽部材２５の回動領域に掛かる部分を切り欠いている。
【００２２】
次に上述した遮蔽部材２について、図４及び図５（ａ）（ｂ）に示す遮蔽部材２５の状態を示す拡大断面図に基づき説明する。蓋体２０の内面２０ａには、板状の遮蔽部材２５が支持ピン２６を支点に回動自在に取り付けられている。遮蔽部材２５は、シート原稿幅方向に沿って延設され、その両端部に設けられた支持ピン２６によって自重で下方に垂下するように設けられている。そして、この遮断部材１２５は蓋体２０が閉状態においては自重によって下方に垂下して装置内と外部を遮断し、蓋体２０が閉状態においては自重によって蓋体２０の内面２０ａに沿って水平方向に状態となり、シート原稿を載置することの妨げとならないようにしている。
【００２３】
遮蔽部材２５の動作を説明すると、蓋体２０が閉位置おいて遮蔽部材２５は図５（ａ）に示すようにサイド規制部材２３の切欠部２４内に進入し、切欠部２４の下流側のエッジに当接して規制されている。この状態から蓋体２０を開状態にするために蓋体２０を回動する。この回動動作の過程において蓋体２０の回動角度が図４の実線で示すように略垂直位置に到達すると遮蔽部材２５は蓋体２０の内面２０ａに沿った状態となる。その後、更に蓋体２０を回動して開位置に移動すると図５（ｂ）に示すように遮蔽部材２５の一側面２５ａが蓋体２０の内面２０ａに当接して遮蔽部材２５は蓋体２０の内面２０ａに沿った状態に保持される。なお、蓋体２０を開位置から閉位置に移動する場合には蓋体２０が垂直位置を越えると遮蔽部材２５は図４の点線で示すように垂直方向に自動的に垂下し、そのままサイド規制部材２３の切欠部２４に進入する。
【００２４】
このように遮蔽部材２５を自重によって垂下させることによって、蓋体２０の閉位置にあるときには遮蔽部材２５を装置内と外部を遮断する位置とし、蓋体２０の開位置にあるときには遮蔽部材２５をシート原稿の載置に支障とならない位置に移動することが容易にできる。
【００２５】
また、蓋体２０が閉位置にあるときにシート原稿が開口２２から挿入されると遮蔽部材２５はシート原稿の先端によって上方に押し上げられシート原稿を通過させることができ、更にシート原稿を給紙トレイ１０上に載置した状態においても遮蔽部材２５の先端がシート原稿の上面に当接した状態となるので、開口２２から装置内部の騒音が外部に洩れることを防止できる。
【００２６】
上述の実施の形態によれば、蓋体２０と給紙トレイ１０との間に開口２２を形成したので、蓋体２０が給紙トレイ１０の上面１０ａ及び給紙口３０を覆った状態であってもシート原稿を給紙トレイ上に載置し、給紙することができる。
【００２７】
また、一対のサイド規制部材２３の一部を、蓋体２０を閉状態にしたときに形成される開口２２から外部に露出するように一対のサイド規制部材２３を給紙トレイ１０上に配置したので、蓋体２０が給紙トレイ１０の上面１０ａ及び給紙口３０を覆った状態であってもサイド規制部材２３を移動操作することができる。
【００２８】
さらに、蓋体２０が閉状態のときに装置内部と外部とを遮断する遮断部材２５を設けたので、開口２２から装置内にゴミや埃、塵などの異物が侵入するのを防止するとともに装置内部の騒音が外部に洩れることを防止することができる。また、蓋体２０の開閉動作に連動して遮蔽部材２５を装置内と外部を遮断する位置とシート原稿の載置に支障とならない位置に移動するようにしたので、蓋体２０の開閉動作と遮蔽部材２５の移動を個別に操作する必要がなくなる。
【符号の説明】
【００２９】
Ａ  自動シート原稿送り装置
Ｈ  画像読取装置
１０  給紙トレイ
２０  蓋体
３０  シート原稿給紙口
２２  開口
２３  サイド規制部材
２４  切欠部
２５  遮蔽部材
【図１】
2011073843.tif 000003
【図２】
2011073843.tif 000004
【図３】
2011073843.tif 000005
【図４】
2011073843.tif 000006
【図５】
2011073843.tif 000007